(57)【要約】【課題】対物レンズ駆動装置の発熱による光学収差変動が大きい光ピックアップを制御して、安定した記録再生動作を実現する。【解決手段】光ピックアップ３０と、光ピックアップ３０内のコイル手段３２に電流または電圧を印可して磁石３３とで発生する磁気回路によりレンズ保持部材３１をフォーカス／トラッキング方向に駆動する駆動手段４１と、駆動モニタ手段３７ａと、前処理回路３６と、前処理回路３６からのサーボ信号により光スポットを光ディスクに追従するよう駆動手段４１を制御する制御手段３７とで構成され、駆動モニタ手段３７ａによりモニタされた電流／電圧の大きさによって、駆動開始から所定の間に所定数のフォーカス焦点補正を行う。この結果、光ピックアップ３０の光学収差変動による最適フォーカス点のずれを補正することができる。【選択図】図１
2005310220.tif 000002
【特許請求の範囲】
【請求項１】
光ピックアップは、レーザー光を出射する光源と、前記光源から出射された前記レーザー光を平行光に変換するコリメートレンズと、前記コリメートレンズによって平行光に変換された前記レーザー光を集光して光情報記録媒体に光スポットを投影して焦点を結ぶ対物レンズと、前記光情報記録媒体を反射した光の光路を前記光源への光路と分離する光学素子と、前記光学素子により分離された光を受光し電気信号に変換する光検出器と、前記対物レンズと前記光学素子を保持するレンズ保持部材と、コイル手段と、前記コイル手段に対向して配置された磁石とで構成され、
前記光ピックアップと、前記コイル手段に電流もしくは電圧を印可して前記磁石とで発生する磁気回路により前記レンズ保持部材をフォーカス、トラッキング方向に駆動する駆動手段と、前記駆動手段による電流もしくは電圧をモニタする駆動モニタ手段と、前記光ピックアップからの電気信号をフォーカスエラー信号およびトラッキングエラー信号のサーボ信号に変換する信号処理手段と、前記信号処理手段からのサーボ信号により光スポットを光情報記録媒体に追従するよう前記駆動手段を制御する制御手段とで構成された光情報記録再生装置であって、
前記駆動モニタ手段によりモニタされた電流もしくは電圧の大きさによって、駆動開始から所定の時間までの間に所定の回数フォーカス焦点補正を行うことを特徴とする光情報記録再生装置。
【請求項２】
光ピックアップは、レーザー光を出射する光源と、前記光源から出射された前記レーザー光を平行光に変換するコリメートレンズと、前記コリメートレンズによって平行光に変換された前記レーザー光を集光して光情報記録媒体に光スポットを投影して焦点を結ぶ対物レンズと、前記光情報記録媒体を反射した光の光路を前記光源への光路と分離する光学素子と、前記光学素子により分離された光を受光し電気信号に変換する光検出器と、前記対物レンズと前記光学素子を保持するレンズ保持部材と、コイル手段と、前記コイル手段に対向して配置された磁石とで構成され、
前記光ピックアップと、前記コイル手段に電流もしくは電圧を印可して前記磁石とで発生する磁気回路により前記レンズ保持部材をフォーカス、トラッキング方向に駆動する駆動手段と、前記駆動手段による電流もしくは電圧をモニタする駆動モニタ手段と、前記光ピックアップからの電気信号をフォーカスエラー信号およびトラッキングエラー信号のサーボ信号に変換する信号処理手段と、前記信号処理手段からのサーボ信号により光スポットを光情報記録媒体に追従するよう前記駆動手段を制御する制御手段とで構成された光情報記録再生装置であって、
前記駆動手段により前記コイル手段の印可を開始して、前記駆動モニタ手段による電流もしくは電圧が所定の値となり、かつ駆動開始から所定の時間までの間に所定の回数フォーカス焦点補正を行うことを特徴とする光情報記録再生装置。
【請求項３】
前記光ピックアップの、前記対物レンズと前記コリメートレンズと前記光学素子との少なくとも１つは樹脂材料で生成されている請求項１または２の何れかに記載の光情報記録再生装置。
【請求項４】
前記光ピックアップには、光ピックアップの温度をモニタする温度モニタ手段がさらに具備されている請求項１または２の何れかに記載の光情報記録再生装置。
【請求項５】
前記光情報記録媒体には、アドレス情報が記録されるアドレス領域と前記情報が記録されるデータ領域とが配置されており、前記フォーカス焦点補正は、前記データ領域から前記情報を再生するときにおいてジッタが最適となる、もしくはＲＦ信号が最大となるよう複数段階フォーカス点を移動させる請求項１または２の何れかに記載の光情報記録再生装置。
【請求項６】
前記光情報記録媒体は円盤状であって、前記フォーカス焦点補正は、前記光情報記録媒体の内周領域と外周領域の、少なくとも１つの領域で行う請求項５記載の光情報記録再生装置。
【請求項７】
前記フォーカス焦点補正は、予め設定した大きさのフォーカス点移動量を、駆動開始から所定の時間までの間に所定の回数移動させる請求項１または２の何れかに記載の光情報記録再生装置。
【請求項８】
前記光ピックアップの、前記コイル手段は、前記レンズ保持部材に巻き線された、もしくは板状に形成され前記レンズ保持部材に具備され、かつ前記コイル手段に対向して前記磁石が配置されている請求項１または２の何れかに記載の光情報記録再生装置。
【請求項９】
前記光ピックアップの、前記磁石は、前記レンズ保持部材に具備され、かつ前記磁石に対向して前記コイル手段が配置されている請求項１または２の何れかに記載の光情報記録再生装置。
【発明の詳細な説明】
【技術分野】
【０００１】
本発明は、光情報記録媒体（以下、光ディスクと称する）の情報層に光学的に情報の記録、再生を行う光情報記録再生装置に関するものである。
【背景技術】
【０００２】
従来の光情報記録再生装置としては、温度センサによって検出された周囲温度に基づき、情報信号の出力振幅を適正値に調整して、フォーカス引き込み動作を行うものがあった（例えば、特許文献１参照）。
【０００３】
図１２は前記特許文献１に記載された従来の光情報記録再生装置の構成を模式的に示す図である。図１２において、この光情報記録再生装置は、情報が記録されている光ディスク１０１に光ビームをあて、その反射光を受光して信号を出力する光ピックアップ１０３と、光ピックアップ１０３の出力信号を基にフォーカスエラー信号や情報信号等を生成して出力するＲＦアンプ１０５と、温度を電圧値に変換する温度センサ１０８で構成されている。この構成にて、光ディスク１０１の情報を光ピックアップ１０３で読みとった信号を入力として、フォーカスエラー信号等の情報信号を抽出し、温度センサ１０８によって検出された周囲温度に基づき増幅率を可変して出力する機能を持つＲＦアンプ１０５により、情報信号の出力振幅を適正値に調整するという機能を有していた。
【０００４】
図１３は、特開平０６−２７４９１２号公報（特許文献２）に開示された従来の他の光情報記録再生装置の構成を模式的に示す図である。この光情報記録再生装置は、情報が記録されている光ディスク１２１に光ビームをあて、その反射光を受光して信号を出力する光ピックアップ１２３と、光ピックアップ１２３からの信号に対し周波数特性の設定を行うループフィルタ１３０と、ループフィルタ１３０の出力を電流増幅して光ピックアップ１２３に設けたフォーカスアクチュエータ１２３ａとトラッキングアクチュエータ１２３ｂを駆動する駆動手段１２９と、光ピックアップ１２３の温度を検出する温度センサ１２８で構成されている。この構成にて、光ピックアップ１２３の温度を温度センサ１２８で検出し、検出した温度に応じてコントローラ１３１が制御手段１２７のループフィルタ１３０の周波数特性を、温度によるフォーカスアクチュエータ１２３ａの低域駆動感度の最適値からのずれを適正値に調整するという機能を有していた。
【特許文献１】特開平０９−１６９７４号公報
【特許文献２】特開平０６−２７４９１２号公報
【発明の開示】
【発明が解決しようとする課題】
【０００５】
しかしながら、前記した特許文献１に開示の構成では、光ピックアップ１０３の周辺温度を検出するために温度センサ１０８を構成しなければならず、部品点数が増えるという課題がある。
【０００６】
また、光ピックアップ１０３の温度を正確に検出するためには、温度センサ１０８の取り付け位置においても、例えば光源付近に配置しなければならないといった配慮が必要となるという課題を有していた。
【０００７】
そして図１３を参照して前述した特許文献２に開示の構成では、光ピックアップ１２３の周辺温度を検出するために温度センサ１２８を構成しなければならず、部品点数が増えるという課題がある。
【０００８】
また、駆動手段１２９からの電流増幅による温度変動に対しフォーカスアクチュエータ１２３ａの低域駆動感度の変動を補正する周波数特性調整を行っても、フォーカスアクチュエータ１２３ａとトラッキングアクチュエータ１２３ｂの発熱の影響で発生する光ピックアップ１２３の光学部品の光学収差を補正することはできないという課題がある。
【０００９】
また、フォーカスアクチュエータ１２３ａとトラッキングアクチュエータ１２３ｂの温度を検出しなければならないため、温度センサ１２８の配置はフォーカスアクチュエータ１２３ａとトラッキングアクチュエータ１２３ｂの付近に配置しなければならず、構成に制限があるとともに、フォーカスアクチュエータ１２３ａとトラッキングアクチュエータ１２３ｂの局部的な温度検出ができても光ピックアップ１２３の例えば光源などの部位の温度検出ができないという課題を有していた。
【００１０】
本発明は、前記従来の課題を解決するもので、駆動モニタ手段によりモニタされた電流もしくは電圧の大きさによって、駆動開始から所定の時間までの間に所定の回数フォーカス焦点補正を行うことにより、光ピックアップに発生した熱による光学収差変動を補正し、安定して光スポットの制御を行うことができ、記録特性、再生特性に優れた光情報記録再生装置を提供することを目的とする。
【課題を解決するための手段】
【００１１】
前記従来課題を解決するために、本発明に係る光情報記録再生装置は、光ピックアップが、レーザー光を出射する光源と、前記光源から出射された前記レーザー光を平行光に変換するコリメートレンズと、前記コリメートレンズによって平行光に変換された前記レーザー光を集光して光情報記録媒体に光スポットを投影して焦点を結ぶ対物レンズと、前記光情報記録媒体を反射した光の光路を前記光源への光路と分離する光学素子と、前記光学素子により分離された光を受光し電気信号に変換する光検出器と、前記対物レンズと前記光学素子を保持するレンズ保持部材と、コイル手段と、前記コイル手段に対向して配置された磁石とで構成された光ピックアップと、前記コイル手段に電流もしくは電圧を印可して前記磁石とで発生する磁気回路により前記レンズ保持部材をフォーカス、トラッキング方向に駆動する駆動手段と、前記駆動手段による電流もしくは電圧をモニタする駆動モニタ手段と、前記光ピックアップからの電気信号をフォーカスエラー信号およびトラッキングエラー信号のサーボ信号に変換する信号処理手段と、前記信号処理手段からのサーボ信号により光スポットを光情報記録媒体に追従するよう前記駆動手段を制御する制御手段で構成された光情報記録再生装置であって、前記駆動モニタ手段によりモニタされた電流もしくは電圧の大きさによって、駆動開始から所定の時間までの間に所定の回数フォーカス焦点補正を行うことを特徴とする。
【００１２】
本発明に係る光情報記録再生装置は、光ピックアップが、レーザー光を出射する光源と、前記光源から出射された前記レーザー光を平行光に変換するコリメートレンズと、前記コリメートレンズによって平行光に変換された前記レーザー光を集光して光情報記録媒体に光スポットを投影して焦点を結ぶ対物レンズと、前記光情報記録媒体を反射した光の光路を前記光源への光路と分離する光学素子と、前記光学素子により分離された光を受光し電気信号に変換する光検出器と、前記対物レンズと前記光学素子を保持するレンズ保持部材と、コイル手段と、前記コイル手段に対向して配置された磁石とで構成された光ピックアップと、前記コイル手段に電流もしくは電圧を印可して前記磁石とで発生する磁気回路により前記レンズ保持部材をフォーカス、トラッキング方向に駆動する駆動手段と、前記駆動手段による電流もしくは電圧をモニタする駆動モニタ手段と、前記光ピックアップからの電気信号をフォーカスエラー信号およびトラッキングエラー信号のサーボ信号に変換する信号処理手段と、前記信号処理手段からのサーボ信号により光スポットを光情報記録媒体に追従するよう前記駆動手段を制御する制御手段で構成された光情報記録再生装置であって、前記駆動手段により前記コイル手段の印可を開始して、前記駆動モニタ手段による電流もしくは電圧が所定の値となり、かつ駆動開始から所定の時間までの間に所定の回数フォーカス焦点補正を行うことを特徴とする。
【発明の効果】
【００１３】
本発明によれば、駆動モニタ手段によりモニタされた電流もしくは電圧の大きさによって、駆動開始から所定の時間までの間に所定の回数フォーカス焦点補正を行うことにより、光ピックアップに発生した熱による光学収差変動を補正し、安定して光スポットの制御を行うことができ、記録特性、再生特性に優れていることを特徴とした光情報記録再生装置を提供することができる。
【発明を実施するための最良の形態】
【００１４】
本実施の形態に係る光情報記録再生装置においては、駆動モニタ手段によりモニタされた電流もしくは電圧の大きさによって、駆動開始から所定の時間までの間に所定の回数フォーカス焦点補正を行う機能を有している。このため、光ピックアップに発生した熱による光学収差変動を補正することができる。その結果、光ディスクを記録再生する光スポットのフォーカス点を適正位置に配置することができ、安定した記録再生特性を得ることができる。
【００１５】
また本実施の形態に係る光情報記録再生装置においては、駆動手段によりコイル手段の印可を開始して、駆動モニタ手段による電流もしくは電圧が所定の値となり、かつ駆動開始から所定の時間までの間に所定の回数フォーカス焦点補正を行う機能を有している。このため、光ピックアップに時間とともに発生した熱による光学収差変動を補正することができる。その結果、光ディスクを記録再生する光スポットのフォーカス点を適正位置に配置することができ、安定した記録再生特性を得ることができる。
【００１６】
この実施の形態では、前記光ピックアップの、対物レンズとコリメートレンズと光学素子との少なくとも１つは樹脂材料で生成されていることが好ましい。
【００１７】
前記光ピックアップには、光ピックアップの温度をモニタする温度モニタ手段がさらに具備されていることが好ましい。
【００１８】
前記光情報記録媒体には、アドレス情報が記録されるアドレス領域と前記情報が記録されるデータ領域とが配置されており、前記フォーカス焦点補正は、前記データ領域から前記情報を再生するときにおいてジッタが最適となる、もしくはＲＦ信号が最大となるよう複数段階フォーカス点を移動させることが好ましい。
【００１９】
前記光情報記録媒体は円盤状であって、前記フォーカス焦点補正は、前記光情報記録媒体の内周領域と外周領域の、少なくとも１つの領域で行うことが好ましい。
【００２０】
前記フォーカス焦点補正は、予め設定した大きさのフォーカス点移動量を、駆動開始から所定の時間までの間に所定の回数移動させることが好ましい。
【００２１】
前記光ピックアップの、前記コイル手段は、前記レンズ保持部材に巻き線された、もしくは板状に形成され前記レンズ保持部材に具備され、かつ前記コイル手段に対向して前記磁石が配置されていることが好ましい。
【００２２】
前記光ピックアップの、前記磁石は、前記レンズ保持部材に具備され、かつ前記磁石に対向して前記コイル手段が配置されていることが好ましい。
【００２３】
以下、図面を参照して本発明の実施の形態を説明する。
【００２４】
（実施の形態１）
図１は、実施の形態１における光情報記録再生装置の構成を示す模式図であり、図２は実施の形態１における光情報記録再生装置の光ピックアップの構成を示す斜視図であり、図３は実施の形態１における光情報記録再生装置の光ピックアップの分解図であり、図４は実施の形態１における光情報記録再生装置の光ピックアップの、対物レンズ駆動装置の駆動電流と温度上昇の関係を示すグラフであり、図５は実施の形態１における光情報記録再生装置の光ピックアップの、温度と光学部品の収差の関係を示すグラフであり、図６は光学収差（球面収差）によるフォーカス点とジッタの関係を示すグラフであり、図７は実施の形態１における光情報記録再生装置のジッタによるフォーカス焦点補正方法の一例を示すグラフであり、図８は実施の形態１における光情報記録再生装置のＲＦ信号によるフォーカス焦点補正方法の一例を示すグラフである。
【００２５】
図１から図３において、半導体レーザーなどの光源１は、光源保持部材２によって保持され、光源調整部材３とともに基台１３に保持されている。光源１から出射されたレーザー光１ａの発散光を集光して平行光にするコリメートレンズ５は光軸に沿って調整され、基台１３に保持されている。コリメートレンズ５により平行光となったレーザー光１ａを光ディスク５０に対して鉛直に偏向する反射ミラー１０は基台１３の所定の位置に保持されている。
【００２６】
レーザー光１ａを集光して光ディスク５０の盤面上に光スポットを形成する対物レンズ１１と、光ディスク５０によって反射された光の光路を光源１への光路と分離する光学素子２３は、レンズ保持部材３１に保持されている。板状に形成されたコイル手段３２はレンズ保持部材に具備されている。コイル手段３２と対向するように磁石３３がヨークベース３４に配置されている。コイル手段３２は、電流もしくは電圧が印可されて磁石３３とで発生する磁気回路により、レンズ保持部材３１を光ディスク５０の鉛直方向（フォーカス方向、図２および３におけるＦＯＣ方向）や接線方向（トラッキング方向、図２および３におけるＲ方向）に駆動できるよう巻き線されている。コイル手段３２へ給電接続し、かつレンズ保持部材３１を保持するワイヤ５６、ワイヤ保持部材５５とともに、対物レンズ駆動装置１２を構成している。
【００２７】
光ディスク５０によって反射された光を電気信号に変換する光検出器１４は反射光を最適に検出するよう調整されて基台１３に保持されている。
【００２８】
光源１、対物レンズ駆動装置１２および光検出器１４は図示しないフレキシブルプリント基板などの接続手段によってピックアップ回路基板１５に接続されている。回路基板１５には図示しないレーザー駆動ＩＣなどの電気部品が実装され、かつフレキシブルプリント基板などの信号接続手段１６が接続され、光ピックアップ３０を構成している。
【００２９】
光ディスク５０からの情報信号は、光ピックアップ３０の光検出器１４で電気信号に変換され、信号接続手段１６を経由して信号処理手段である前処理回路３６に入力され、フォーカスエラー信号やトラッキングエラー信号といったサーボ信号の生成ならび再生信号の波形等価、２値化スライス、同期データなどのアナログ信号処理が行われる。前処理回路３６で生成されたサーボ信号は制御手段３７に入力される。制御手段３７はコイル手段３２へ給電して対物レンズ駆動装置１２の駆動を行ったり、光ピックアップ３０を光ディスク５０内周や外周へ移送させる移送モータ４２の駆動を行ったり、光ディスク５０を回転させるスピンドルモータ４３の駆動を行ったりする駆動手段４１を介して光ピックアップ３０の光スポットを光ディスク５０に追従させるため、対物レンズ駆動装置１２のフォーカスおよびトラッキング制御、移送制御、スピンドルモータ制御など一連の制御をデジタルサーボで実現している。また制御手段３７にはコイル手段３２への電流もしくは電圧をモニタする駆動モニタ手段３７ａが具備されている。また前処理回路３６で生成された同期データはシステムコントローラ４０でデジタル信号処理を行い、図示しないインターフェイス回路を介して記録再生データをホストに転送する。
【００３０】
前処理手段３６や制御手段３７やシステムコントローラ４０は、中央演算処理手段３８に接続されており、中央演算処理手段３８の指令により動作する。光ディスク５０を回転し、光ピックアップ３０を目標の位置へ移送し、光ディスク５０の目標のトラックに光スポットを投影、追従させるといった制御動作など、一連の動作は予めファームウエアとして不揮発性メモリ３９に記憶され、接続された中央演算処理手段３８により動作の形態に応じて記憶されたメモリが引き出される。
【００３１】
ここで制御手段３７により光ディスク５０を回転させ、光ピックアップ３０の駆動を開始すると、図４に示すように、駆動手段４１により対物レンズ駆動装置１２のコイル手段３２に給電される。給電されるとコイル手段３２には抵抗があるため発熱を生じる。この発熱のため、光ピックアップ３０の光学部品には収差変動が発生する。発熱の大きさは、駆動の大きさにより異なり光ディスク５０の面ぶれや偏心といった要因の他に、回転速度によっても変動する。特に対物レンズ１１とコリメートレンズ５と光学素子２３とのうち少なくとも１つは樹脂材料で生成されているとき、図５に示すように、樹脂材料の熱による屈折率変動により、球面収差の変動が大きくなる。その中でも同じレンズ保持部材３１に保持され、発熱源であるコイル手段３２近傍に配置される対物レンズ１１は特に温度上昇の影響を受けやすい。
【００３２】
実施の形態１に係る構成では、駆動モニタ手段３７ａによりモニタされた電流もしくは電圧の大きさによって、駆動開始から所定の時間までの間に所定の回数フォーカス焦点補正を行う動作を不揮発性メモリ３９に記憶させ、光情報記録再生装置６０を構成している。
【００３３】
次に実施の形態１に係る光情報記録再生装置の動作を説明する。図１から図８において、高出力の光源１から放射された発散光であるレーザー光１ａは、コリメートレンズ５によって集光される。そして、反射ミラー１０を通り対物レンズ駆動装置１２のレンズ保持部材３１に搭載されたλ／４板が貼り合わされた偏光性ホログラム特性を持つ光学素子２３によって円偏光となる。次に、レンズ保持部材３１に形成された対物レンズ取り付け穴で開口制限され、対物レンズ１１により光ディスク５０の盤面上に集光される。光ディスク５０によって反射された光は対物レンズ１１および光学素子２３を経て往路と直交する直線偏光となり回折分岐される。回折分岐された光は反射ミラー１０、コリメートレンズ５およびビームスプリッタ４を経て光検出器１４に導かれる。そして、光検出器１４によって検出された光量の変化を電気信号に変換し、信号処理手段である前処理回路３６により、フォーカスエラー信号、トラッキングエラー信号といったサーボ信号、ＲＦ信号を得ることができる。得られたサーボ信号から、光スポットを光ディスク５０盤面上の目的の位置、記録または再生するのに最適な位置に投影するよう、制御手段３７によって制御する。光スポットのフォーカス方向及びトラッキング方向の制御は、フォーカスエラー信号、トラッキングエラー信号といったサーボ信号を処理して制御手段３７から駆動手段４１に指令を送り、駆動手段４１から光ピックアップ３０の、対物レンズ駆動装置１２のフォーカスおよびトラッキング方向のコイル手段３２に電流もしくは電圧を印可し、磁石３３により発生する磁気回路によって対物レンズ１１を保持したレンズ保持部材３１をフォーカス方向およびトラッキング方向に動作させることで行うことができる。
【００３４】
光ディスク５０がスピンドルモータ４３により回転し、光ピックアップ３０の光スポットを光ディスク５０の盤面上に投影して制御、駆動動作をし始めると、コイル手段３２に印可される電流もしくは電圧により、コイル手段３２が発熱、温度上昇して対物レンズ１１、光学素子２３などの光ピックアップ３０の光学部品が温度上昇するが、その大きさは光ディスク５０の面ぶれや偏心、回転数によって異なるため、発熱の大きさも異なる。したがって温度上昇により発生する光ピックアップ３０の光学収差、特に球面収差の変動量も異なる。図６に示すように、球面収差の変動量が大きければ大きいほど、最適なフォーカス点にずれを生じてくる。つまり駆動直後に設定したフォーカス点が時間経過とともに最適点でなくなるため、記録または再生特性に劣化が生じてくる。ここで駆動モニタ手段３７ａによりモニタされた電流もしくは電圧の大きさにより駆動開始から発熱が定常となる所定の時間までの間に所定の回数フォーカス焦点補正を行うことによって、球面収差が変動したときに発生する最適なフォーカス点のずれを補正することができ、安定した制御を行うことができ、記録または再生特性が安定化する。コイル手段３２への電流もしくは電圧が大きい場合は時間経過にともなう球面収差変動も大きいためフォーカス焦点補正の回数を増やし、小さい場合は時間経過にともなう収差変動も小さいため、フォーカス焦点補正の回数を減らすことで、フォーカス焦点補正の最適化を行うことができる。フォーカス焦点補正の方法は、図７に示すように、ジッタ最小となるフォーカス点を複数段階で移動させながら捜す方法、例えばジッタがある値で同等でとなるフォーカス点位置ａと位置ｂとの中心点ｃをジッタ最適とする。または図８に示すように、ＲＦ信号振幅が最大となるフォーカス点を数回のステップで刻みながら捜す方法、例えばＲＦ信号振幅がある値で同等となるフォーカス位置ａａとフォーカス位置ｂｂの中心点ｃｃをＲＦ信号振幅最大とする。またフォーカス焦点補正は、光ディスク５０の光ディスク内周領域５０ａ、外周領域５０ｂの、少なくとも１つの領域で行えば、光ディスク５０の内周部と外周部の基材厚み誤差をも補正することができる。これらのフォーカス焦点補正方法を予め不揮発性メモリ３９に記憶させておくことにより、一連の光情報記録再生装置動作の中で動作し、安定した制御を行うことができる。
【００３５】
係る構成によれば、従来構成のように温度センサを配置して温度検出を行う必要はなく、駆動モニタ手段３７ａによりモニタされた電流もしくは電圧の大きさにより駆動開始から発熱が定常となる所定の時間までの間に所定の回数フォーカス焦点補正を行うことによって、光ピックアップ３０の温度上昇により発生する球面収差変動による最適なフォーカス点のずれを補正し、最適なフォーカス点の配置設定を行うことができ、簡単な構成で安定した制御、安定した記録再生動作を行うことができる。
【００３６】
係る構成によれば、対物レンズ１１とコリメートレンズ５と光学素子２３との少なくとも１つが樹脂材料であっても、温度上昇により発生する球面収差変動による最適なフォーカス点のずれを補正し、最適なフォーカス点の配置設定を行うことができ、簡単な構成で安定した制御、安定した記録再生動作を行うことができる。
【００３７】
（実施の形態２）
図９は、実施の形態２における光情報記録再生装置の、光ピックアップの対物レンズ駆動装置にある大きさの電流もしくは電圧を加えたときの時間と発熱の大きさを示すグラフである。構成は実施の形態１とほぼ同じであるので詳細な説明は省略する。実施の形態１と異なる点は駆動手段４１によりコイル手段３２の印可を開始して、駆動モニタ手段３７ａによる電流もしくは電圧が所定の値となり、かつ駆動開始から発熱が定常となる所定の時間までの間に所定の回数フォーカス焦点補正を行うとしたことである（実施の形態２の構成）。
【００３８】
実質的に、対物レンズ１１をレンズ保持部材３１に保持しているとき、フォーカスおよびトラッキング直列状態で抵抗１５Ωのコイル手段３２へ、１２０ｍＡの給電によって光ピックアップ３０の対物レンズ駆動装置１２には２０℃の温度上昇があり、発熱が定常となるまで１０分かかり、球面収差は−０．０２λ変動する。球面収差の変動が−０．０２λの場合、最適となるフォーカス点の位置は、初期から０．２μｍのずれを生じる。ここで例えば温度上昇４℃刻みで５回、フォーカス焦点補正を行うと、最適なフォーカス点のずれは０．０４μｍとなり、ジッタ特性の大きな劣化を防ぎ記録または再生動作の安定化を行うことができる。
【００３９】
本構成においても、発熱が定常となる時間までの間に、等間隔の時間もしくは等間隔の発熱による光ピックアップ３０の温度上昇の回数に分けて、フォーカス焦点補正を行うことにより、光ピックアップ３０の温度上昇により発生する球面収差変動によるフォーカス点のずれを補正し、これらのフォーカス焦点補正方法を予め不揮発性メモリ３９に記憶させておくことにより、一連の光情報記録再生装置動作の中で動作し、最適なフォーカス点の配置設定を行うことができ、簡単な構成で安定した制御、安定した記録再生動作を行うことができる。
【００４０】
なお、実施の形態１および実施の形態２において、フォーカス焦点補正が光ディスク５０の内周領域５０aおよび外周領域５０ｂの少なくとも１つの領域で行うとしたが、例えばＤＶＤ−Ｒディスクなどの連続記録が必要なディスクの場合、予め設定した大きさのフォーカス点移動量を駆動開始から所定の時間までの間に所定の回数移動させる構成としてもよい。
【００４１】
また実施の形態１および実施の形態２において、コイル手段１２は板状に形成されレンズ保持部材３１に具備されているとしたが図１０に示すように、レンズ保持部材３１に巻き線された構成でもよい。
【００４２】
また図１１に示すようにレンズ保持部材３１に磁石３３を具備し、かつ磁石３３に対向してトラッキングコイル手段３２ａ、フォーカスコイル手段３２ｂが配置される構成としてもよい。
【００４３】
また実施の形態１および実施の形態２において、記録または再生動作のさらなる安定化のため、光源１の近傍に温度モニタ手段３５をさらに具備することにより、コイル手段３２による光ピックアップ３０の、対物レンズ駆動装置１２の温度上昇に加えて、光源１の局所部分の温度変動に対してフォーカス焦点補正を行う構成としてもよい。
【００４４】
さらに上記実施例は基本的な構成であり、本発明の権利の範囲において細部の変更を加え、また従来公知の技術に加えて実施することができるものである。
【産業上の利用可能性】
【００４５】
以上のように、本発明にかかる光情報記録再生装置は、ＤＶＤ等の、複数種類の高記録密度の光情報記録媒体を記録または再生する装置として有用であり、特に対物レンズ駆動装置の発熱による温度上昇で発生する光学収差変動の大きい光ピックアップを制御して、記録または再生するのに適している。
【図面の簡単な説明】
【００４６】
【図１】本発明の実施の形態１における光情報記録再生装置の構成を示す模式図
【図２】同実施の形態１における光情報記録装置の光ピックアップの斜視図
【図３】同実施の形態１における光情報記録装置の光ピックアップの分解図
【図４】同実施の形態１における光情報記録再生装置の光ピックアップの、対物レンズ駆動装置の駆動電流と温度上昇の関係を示すグラフ
【図５】同実施の形態１における光情報記録再生装置の光ピックアップの、温度と光学部品（球面収差）の収差の関係を示すグラフ
【図６】同実施の形態１における光学収差によるフォーカス点とジッタの関係を示すグラフ
【図７】同実施の形態１における光情報記録再生装置のジッタによるフォーカス焦点補正方法の一例を示すグラフ
【図８】同実施の形態１における光情報記録再生装置のＲＦ信号によるフォーカス焦点補正方法の一例を示すグラフ
【図９】同実施の形態２における光情報記録再生装置の、光ピックアップの対物レンズ駆動装置にある大きさの電流もしくは電圧を加えたときの時間と発熱の大きさを示すグラフ
【図１０】同実施の形態１および実施の形態２におけるレンズ保持部材へのコイル手段巻き線構成図
【図１１】同実施の形態１および実施の形態２におけるレンズ保持部材への磁石取り付け構成を示す分解図
【図１２】従来の光情報記録再生装置の構成を示す概略模式図
【図１３】従来の他の光情報記録再生装置の構成を示す概略模式図
【符号の説明】
【００４７】
１    光源
１ａ    レーザー光
５    コリメートレンズ
１０    反射ミラー
１１    対物レンズ
１２    対物レンズ駆動装置
１３    基台
１４    光検出器
１５    ピックアップ回路基板
１６    信号接続手段
３０    光ピックアップ
３１    レンズ保持部材
３２    コイル手段
３３    磁石
３５    温度モニタ手段
３６    前処理回路
３７    制御手段
３７ａ    駆動モニタ手段
３８    中央演算処理手段
３９    不揮発性メモリ
４０    システムコントローラ
４１    駆動手段
５０    光ディスク
５０ａ    光ディスク内周領域
５０ｂ    光ディスク外周領域
６０    光情報記録再生装置
【図１】
2005310220.tif 000003
【図２】
2005310220.tif 000004
【図３】
2005310220.tif 000005
【図４】
2005310220.tif 000006
【図５】
2005310220.tif 000007
【図６】
2005310220.tif 000008
【図７】
2005310220.tif 000009
【図８】
2005310220.tif 000010
【図９】
2005310220.tif 000011
【図１０】
2005310220.tif 000012
【図１１】
2005310220.tif 000013
【図１２】
2005310220.tif 000014
【図１３】
2005310220.tif 000015